(57)【要約】【課  題】ミュールとシューズの機能をひとつの靴体にて享受できる靴体の提供。【解決手段】踵壁３は上方に伸張変形できる構造とし、常には、靴体内のロック装置４、または手動ロック装置９により、踵壁基部２に繋留収納する。これにより靴体１はミュールとして使用できる。前記ロック装置４は靴体内に挿入された足によって、また手動ロック装置９は手などを用いて操作可能なロック解除スイッチをそれぞれ備え、これにより踵壁３を解放することが出来る。解放された踵壁３は突部６を持つことによって手動で、または踵壁３に内蔵されたばね５によって自動的に上方に伸張変形され、通常のシューズと同様の形状として使用できる。【選択図】図１
2004275648.tif 000002
【特許請求の範囲】
【請求項１】
踵の背面側を覆う踵部の外周に沿って踵壁基部を備え、その内部に上方向に伸張変形可能な踵壁を収納する靴体であって、必要に応じて前記踵壁を伸張させ、通常のシューズと同様の形状となることを特徴とする靴体。
【請求項２】
前記踵壁は、上方への付勢手段を内蔵すると共に、通常はロック装置により前記踵壁基部に繋留収納されており、前記ロック装置は、靴体内に挿入された足によって操作可能な解除機構を備え、このロック装置が解除されると、上方への付勢手段により自動的に前記踵壁が上方向に伸び、通常のシューズと同様の形状となることを特徴とする請求項１記載の靴体。
【請求項３】
前記靴体の外側に、手またはもう一方の足や道具などを用いて操作可能な手動ロック装置を備え、靴体内に挿入された足による前記ロック装置の解除の可、不可を選択できる請求項１記載の靴体。
【発明の詳細な説明】
【０００１】
【発明の属する技術分野】
本発明は靴体に関する。
【０００２】
【従来の技術】
従来、踵壁がない靴（ミュール）は、シューズを履く場合に比べ容易に足を靴体内に滑り込ませる事が出来、便利であったが、反面踵壁がないため、着用感が安定せず、また雨の日などは容易に靴内に雨水が侵入するなど、不便な点があった。
【０００３】
そこで、ミュールとシューズの両方の機能を付した靴体が発明されている（例えば、特許文献１参照）。
【０００４】
以下、図８により従来の靴体について説明する。図８において１０は靴体であり、１１はアッパー部、１２はソール部、２０は枢動踵壁部である。この枢動踵壁部２０は連結具２５を内蔵しており、この連結具２５はソール部１２の後端部に固着された４０の枢動ラッチと係合い連結されているが、これは取り外すこともできる。また３１は連結部材でありアッパー部１１に固着されており、枢動踵壁部２０に固着された連結部材３２と係合い、取り外すこともできる。
【０００５】
枢動踵壁部２０は、連結部材３２を３１より取り外すと、アッパー部１１から枢動により分離可能であり、また連結具２５を枢動ラッチ４０から取り外すことで、ソール１１から完全に分離可能である。これにより、靴体１０はミュールとしてもシューズとしても着用できる。
【０００６】
【特許文献１】
特開２００２−１１２８０４（第５頁、第４図）
【０００７】
【発明が解決しようとする課題】
以上に述べた従来の靴体では、踵壁を枢動により分離させると、歩きにくくなり、またこの踵壁を完全に分離させてしまうと、移動時などにもその踵壁を携帯しない限り、再び踵壁を結合させることはできないなどの問題があった。
【０００８】
本発明は、このような従来の構成が有していた問題を解決しようとするものであり、その目的は、より簡便にミュールとシューズの両方の機能、つまり脱着のしやすさと、着用時の安定感の高さを実現できる靴体の提供である。
【０００９】
【課題を解決するための手段】
上記の課題を解決するための請求項１の発明に係る靴体は、踵部の外周に沿って踵壁の基部を持ち、その内部に踵壁を分割して収納しておけ、また踵壁の最上部には手などを用いて操作可能な突部を設け、いつでも任意に踵壁を引きだしたり、また収納することができるものである。
【００１０】
請求項２の発明に係る靴体は、請求項１のものにおいて、前記踵壁の上方への付勢手段を持ち、前記踵壁が自動的に上方へ伸張変形すると共に、この付勢手段による前記踵壁の上方への伸張変形を繋留し前記踵壁基部内に収納できるロック装置が備えられていて、かつこのロック装置は靴内に挿入された足によって解除可能であるところに特徴を有する。
【００１１】
請求項３の発明に係る靴体は、請求項２のものにおいて、靴内に挿入された足による前記ロック装置の解除の可・不可を選択できる、手またはもう一方の足や道具などを用いて操作できる、踵壁の繋留手段を別に備えるところに特徴を有する。
【００１２】
【発明の実施の形態】
以下、本発明の実施の形態を図１〜図７に基づいて説明する。なお、本実施形態の靴体は左右一対のものであり、左右対称構造となっているため、便宜上左側のもののみを説明し、各図面には左側のもののみを示す。
【００１３】
図においては、１は靴体で、７のソールに固着された１ａのアッパー部を含む。このアッパー部１ａは、皮革や布帛などのある程度柔軟性、または伸縮性を備えた部材より構成され、外面１ａ１と内面１ａ２を貼りあわせた二重構造となっている。また、アッパー部１ａの後部には、開口部１ｂが設けられており、図１では足を水平運動で靴内に挿入できるほど開かれている。またこの開口部１ｂの後部にはソール７の後端部の上面に固着された踵壁基部２があり、これは足の踵の角度にあうように、前方に傾けて固着されている。
【００１４】
踵壁基部２は、外部はアッパー部１ａから連続または縫合された、伸縮性あるいは柔軟性のある素材で覆われているが、このアッパー部外面１ａ１と内面１ａ２は、開口部１ｂの最後部までは、接着あるいは縫合され貼りあわされているが、踵壁基部２と踵壁３を覆う時は、外面１ａ１と内面１ａ２は縫合はされているが、お互いの間に空間をつくった袋状になる。つまり踵壁基部２と踵壁３は、アッパー部外面１ａ１と内面１ａ２がつくった袋状の空間の中に包まれた状態となる。
【００１５】
踵壁基部２の内部は合成樹脂などの堅牢だが、一定の可橈性のある部材で構成されている。図６に示すように、踵壁基部２を上から見た断面はＵ字型をしている。また踵壁基部２は筒状になっており、その内側の空洞部分に伸張可能な３の踵壁と４のロック装置と５のばね、また９の手動ロック装置の爪部９ｄを収納する。踵壁基部２の上部の開口部と下部の開口部では上部の方が狭くなっており、図１から図４に示すように、上端と下端をつなぐ側面はゆるやかな曲面で構成されている。
【００１６】
踵壁３は合成樹脂などの堅牢だが、一定の可橈性のある部材で構成された上部パーツ３ａと下部パーツ３ｂからなる。図６に示すように、踵壁上部パーツ３ａと踵壁下部パーツ３ｂを上から見た断面は、共に踵壁基部２を縮小した様なＵ字型をしており、図１から図４に示すように、横から見た断面は、踵壁基部２同様、足の踵の角度にあうように、前方に少し傾いている。踵壁下部パーツ３ｂは筒状になっており、内部に踵壁上部パーツ３ａを収納でき、踵壁基部２に収納される。踵壁上部パーツ３ａは下面のみ開口しており、この下面の開口部は、踵壁下部パーツ３ｂの上面の開口部より広くなっている。また、下部パーツ３ｂの下面の開口部は、踵壁基部２の上面の開口部より広くなっており、それぞれ上方に引き上げられた時、踵壁上部パーツ３ａは踵壁下部パーツ３ｂよりの、３ｂは踵壁基部２よりの飛び出しを防いでいる。また、図１から図４に示すように、踵壁上部パーツ３ａも踵壁下部パーツ３ｂも上端と下端をつなぐ側面はゆるやかな曲面で構成されている。
【００１７】
また、踵壁上部パーツ３ａは、下部空間の天井にロック装置４の爪部４ａと係合う爪部３ａ１を備え、図６に示すように、４ａと３ａ１は共に、踵壁上部パーツ３ａの角度に合わせるように曲がりながら、左右に広がっている。さらに踵壁上部パーツ３ａの下縁部の一部には、９の手動ロック装置と係合うための爪部３ａ２を備えている。また、踵壁上部パーツ３ａの上端面には、アッパー部外面１ａ１が接着されており、さらに接着された１ａ１の上から、手あるいはもう一方の足や器具などを用いて、踵壁３を引き上げ、押し下げ操作のできる突部６が３ａの上端面に固着されている。
【００１８】
さらに、踵壁上部パーツ３ａの天井にはばね５の上端が固着されている。図６に示すように、ばね５は５個、踵壁上部パーツ３ａの内部空間に備えられている。ばね５の下端はソール部７に固着されており、踵壁３の傾斜に合わせて、やや前方に傾いている。またばね５は図１、図３、図６ではロック装置４と爪部３ａ１が係合うことによって繋留されている。
【００１９】
ロック装置４は、ソール部７の足の踵付近に接する面の下方に空けられた空間に固着されており、４ａ爪部、４ｂ基盤部、４ｃ円筒、４ｄ解除スイッチ、４ｅ上方へ付勢されたばね、の５パーツからなり、金属や合成樹脂など堅牢な部材で構成される。基盤部４ｂは直角より狭い内角を持つＬ字型をしており、上方に突き出た腕は、踵壁上部パーツ３ａの内部空間まで伸びており、その端には爪部４を備えていて、一方、前方に突き出た腕の端は解除スイッチ４ｄに固着している。解除スイッチ４ｄの下部はばね４ｅに面しており、常には上方に付勢されている。また、解除スイッチ４ｄの上部は、ソール部７の薄い天井をはさみ、中敷８の最後端に面している。さらに、基盤部４ｂのＬ字型の角の部分の下方は円筒４ｃに固着している。円筒４ｃは軸部４ｃ１を内壁に沿って貫通させており、軸部４ｃ１の両端はソール７ｃにそれぞれ突設されているため、円筒４ｃは軸部４ｃ１を中心に回転、ロック装置４のテコの支点の役割を果たす。図１図３では、ばね４ｅの上方への付勢が、円筒４ｃの支点を通じ、爪部４ａを靴の後方へ押しやり、踵壁上部パーツ３ａの爪部３ａ１と係合わせ、踵壁３の伸び上がりをロックしている。
【００２０】
ソール７は天然ゴムや、衝撃吸収材などから構成され、一定の厚みを持ち、その上には８の中敷が敷かれている。中敷８は発泡ウレタンや、衝撃吸収材などからなるが、一定の柔軟性を備えている。
【００２１】
またソール７の最後部には、９の手動ロック装置が埋込まれている。手動ロック装置９は、金属や合成樹脂などの堅牢な部材で構成され、９ａスイッチ部、９ｂ軸部、９ｃ円盤部、９ｄ爪部の４パーツからなる。スイッチ部９ａはソール７の最後部側面より露出しており、手などを用いて回すことができる。スイッチ部９ａは軸部９ｂの後端に固着されており、軸部９ｂの前端は円盤部９ｃに固着。９ｃは軸部９ｂを中心とした回転運動は出来るが、上下左右に動かないようにソール７に包囲されている。軸部９ｂは中ほどに、上方へ突き出た爪部９ｄを備えており、スイッチ部９ａの回転操作は爪部９ｄの、より大きな軌道の回転を生む。ソール部７には爪部９ｄの軌道の一定区間のみを妨げない穴があり、９ｄはその穴から、踵壁上部パーツ３ａの内部に突き出て、３ａの下部縁に備えられた爪部３ａ２と係合い、踵壁３の伸び上がりをロックできる。図３ではロックしている状態、図４ではロックしていない状態である。
【００２２】
本実施形態は以上の構成であり、以下その作用を説明する。靴体１を履く場合には、開口部１ｂよりほぼ水平運動によって、容易に足を挿入することができる。足のつま先が最奥部まで達したら、中敷８の上面に足を載せ、最後端に体重を乗せる。すると、中敷８が撓み、解除スイッチ４ｄを下方に押し下げる。下方への圧力は円筒４ｃが支点となって力の作用の方向を上方に変え、さらに基盤部４ｂにつけられた角度により上斜め方向へと力の作用を変えるため、爪部４ａによる踵壁３の繋留が解放される。
【００２３】
この時、突部６を手などによって引き上げることで、踵壁基部２より、まず踵壁上部パーツ３ａが引きだされる。踵壁上部パーツ３ａの最下部の外周は踵壁下部パーツ３ｂの最上部の内周より広いので、３ｂは３ａに引き上げられ、３ｂの最下部の外周は踵壁基部２の最上部の内周とより広いため、３ｂ３ａのそれ以上の引き上げを防ぎ、踵壁の伸張変形は完了する。さらに、踵壁３は一定の可撓性を備えるため、上部パーツ３ａと下部パーツ３ｂのそれぞれの下部を一瞬縮めさせ、その後の復元力により、その場所に固定せしめる。つまり、上方へ伸びた踵壁３の重力による落下を阻止する。
【００２４】
また突部６を手によって引き上げなくても、踵壁３の内蔵するばね５による上方へのばね付勢により、踵壁上部パーツ３ａは上方へ伸び上がり、前述のように、踵壁下部パーツ３ｂを引き上げ、踵壁の伸張変形を完了せしめ、通常のシューズのような形態の踵壁が出現する。
【００２５】
一方、ミュールとして着用したい時は、手などを用いて手動ロック装置９のスイッチ部９ａをロックの位置まで回す。スイッチ部９ａを回転させた力は軸部９ｂ及び円盤部９ｃを回転させ、９ｂに直角に取り付けられた爪部９ｄを旋回させる。旋回した９ｄは踵壁上部パーツ３ａの下縁に備えられた爪部３ａ２に係合い、踵壁３を繋留。ロック装置４の解除スイッチ４ｄにどんなに圧力がかかっても、踵壁の伸張を起こさせない。このように、本実施形態によれば、ミュールとシューズの両方の機能を一つの靴体によって享受できる。
【００２６】
【発明の効果】
上述したように本発明の靴体は、ミュールの長所である、靴体の容易な脱着の機能と、シューズの長所であるところの安定した着用感の両方の機能を、より簡便に併せ持つことができる。
【００２７】
本発明は前記実施形態に限定されるものではなく、例えば次に記載されるようなものも本発明の技術的範囲に含まれる。
（１）本実施形態では、踵壁の分割収納にあたって、踵壁基部２内に、踵壁下部パーツ３ｂを、３ｂ内に踵壁上部パーツ３ａを収納される例を示したが、他の分割収納方法でも応用可能である。例えば、分割した踵壁をワイヤでつなぎ、折り畳むなどして収納される方法でも良い。また踵壁の分割方式も、本形態では３分割を示したが、何分割でも良い。また踵壁基部２の位置も、本形態ではソール部７の上を示したが、ソール部７の中でも良い。
（２）本実施形態では、踵壁の上方への付勢にあたってばねの例を示したが、他の方法でも応用可能である。たとえば、形状記憶合金の性質を利用した電熱による電気式にするなどしても良い
（３）本実施形態では、ロック装置４はテコの原理を応用した例を示したが、モーターの回転を利用した電気式など、他の方法でも応用可能である。手動ロック装置９も同様に、応用可能である。
【図面の簡単な説明】
【図１】本発明の実施形態を示す靴体の断面図
【図２】同ロック装置を解除した状態を示す断面図
【図３】図１の部分拡大図
【図４】図２の部分拡大図
【図５】本発明の実施形態を示す靴体の斜視図
【図６】同踵壁基部及び踵壁を上から見た断面図
【図７】同ロック装置を上から見た一部破断図
【図８】従来例の靴体を示す一部破断した側面図
【符号の説明】
１…靴体
２…踵壁基部
３…踵壁
４…ロック装置
５…ばね
９…手動ロック装置
【図１】
2004275648.tif 000003
【図２】
2004275648.tif 000004
【図３】
2004275648.tif 000005
【図４】
2004275648.tif 000006
【図５】
2004275648.tif 000007
【図６】
2004275648.tif 000008
【図７】
2004275648.tif 000009
【図８】
2004275648.tif 000010